(57)【要約】【課題】警告の発生状況を正確に把握することが可能な警報記録システムを提供する。【解決手段】異常が発生した場合に点灯する警報窓１２を複数備えた制御盤１０と、電子計算機２０と、プリンタ３０とを備え、制御盤１０は、設備に異常が発生したか否かを判定する手段と、異常が発生したと判定した場合に、異常が発生した設備に対応する警報窓１２を点灯させる手段と、警報確認ボタン１０６と、警報確認ボタン１０６が操作された場合に、電子計算機２０に警報記録指令を送信する手段と、警報記録指令を受信した電子計算機２０から送信される警報取込指令を受信した場合に、電子計算機２０に、点灯している警報窓１２によって報知される警報情報を送信する手段とを備え、電子計算機２０は、警報情報を受信した場合に、警報情報の受信時間を取得し、警報情報及び受信時間に基づいて印字情報を作成し、印字情報をプリンタ３０に送信する。【選択図】図１
2012089090.tif 000002
【特許請求の範囲】
【請求項１】
所定の設備に異常が発生した場合に点灯することによって報知を行う警報窓を複数備えた制御盤と、
当該制御盤との間で送受信を行う計算機と、
当該計算機からの印字情報に基づいて印字を行うプリンタとを備えた警報記録システムにおいて、
前記制御盤は、
設備に異常が発生したか否かを判定する異常判定手段と、
当該異常判定手段が、異常が発生したと判定した場合に、異常が発生した設備に対応する前記警報窓を点灯させる警報窓点灯制御手段と、
運転員によって操作される警報確認ボタンと、
当該警報確認ボタンが操作された場合に、前記計算機に警報記録指令を送信する警報記録指令出力手段と、
前記警報記録指令を受信した前記計算機から送信される警報取込指令を受信した場合に、前記計算機に、点灯している前記警報窓によって報知される警報情報を送信する警報情報出力手段とを備え、
前記計算機は、前記警報情報を受信した場合に、前記警報情報の受信時間を取得し、前記警報情報及び前記警報情報の受信時間に基づいて印字情報を作成し、当該印字情報を前記プリンタに送信することを特徴とする警報記録システム。
【請求項２】
前記計算機に接続する記憶手段と、
前記計算機から送信される画像表示情報に基づいて画像表示を行う画像表示手段とを備え、
前記計算機は、前記警報情報を受信した場合に、前記警報情報及び前記警報情報の受信時間を前記記憶手段に累積記憶し、当該記憶手段の記憶内容に基づいて画像表示情報を作成して前記画像表示手段に送信することを特徴とする請求項１記載の警報記録システム。
【請求項３】
所定の設備に異常が発生した場合に点灯することによって報知を行う警報窓を複数備えた制御盤と、
当該制御盤からの印字情報に基づいて印字を行うプリンタとを備えた警報記録システムにおいて、
前記制御盤は、
設備に異常が発生したか否かを判定する異常判定手段と、
当該異常判定手段が、異常が発生したと判定した場合に、異常が発生した設備に対応する前記警報窓を点灯させる警報窓点灯制御手段と、
運転員によって操作される警報確認ボタンと、
当該警報確認ボタンが操作された場合に、点灯している前記警報窓によって報知される警報情報に基づいて印字情報を作成して前記プリンタに送信する印字情報出力手段とを備え、
前記プリンタは、前記印字情報を受信した場合に、前記印字情報の受信時間を取得し、前記印字情報及び前記受信時間を印字することを特徴とする警報記録システム。
【請求項４】
前記警報窓点灯制御手段は、
前記警報確認ボタンが操作された場合に、点灯が継続している前記警報窓の点灯態様を変更することを特徴とする請求項１乃至３のいずれか１項記載の警報記録システム。
【発明の詳細な説明】
【技術分野】
【０００１】
本発明は、発電所において、制御盤に表示された警報を記録する警報記録システムに関する。
【背景技術】
【０００２】
従来より、発電所の制御室には、プラント運転操作用の制御盤が設備毎に複数設置されている。この制御盤の盤面には、警報名称が記載された警報窓が多数設けられている。これらの警報窓は、現場の設備に設けられた各種の検知器（例えば、温度計や流量計等）に対応して設けられており、制御盤は、検知器が検知した値が異常であると判断した場合に、警報窓を発光させたり、あるいはブザー音によって異常等を運転員（操作員）に知らせている。
【０００３】
具体的には、発電所の設備に異常が発生すると、該当する警報窓が点滅し、同時に制御盤に設置されている警報発報用のブザーが鳴動することにより運転員に異常が報知される。運転員は、点滅表示している警報窓の警報名称を目視により確認した後、制御盤毎に設置されている警報確認ボタンを押すことにより、その警報が継続中であるかどうかを判断する。警報発報原因が継続中であれば、警報窓は点滅から点灯したままの状態に切り替わりブザー音は停止する。
【０００４】
警報発報原因が無くなった警報窓は、ゆっくりした点滅に切り替わり、警報消灯用のブザーが鳴動する。その状態で、運転員が、制御盤毎に設置されている警報リセットボタンを押すことにより、警報は消灯しかつブザー音も停止する。
【０００５】
ところで、従来、警報が発報した時に、運転員は、警報名称や発報時間を記録紙に手書きで記入することによって、記録として残している。しかし、連続して複数の警報が発報した場合、記録よりも警報の対応操作が優先されるために、記録に残せない場合がある。そこで、制御盤上の警報窓をＴＶカメラで撮影し、このＴＶカメラから得られた警報窓の輝度差に基づいて警報データ項目を自動的に保存する、という技術が提案されている（特許文献１）。
【先行技術文献】
【特許文献】
【０００６】
【特許文献１】特開平９−２１１１８６号公報
【発明の概要】
【発明が解決しようとする課題】
【０００７】
しかしながら、特許文献１記載の技術によれば、例えば、ＴＶカメラの撮影画像において、警報窓が運転員によって隠されてしまった場合、あるいは制御室内の反射物による反射光が警報窓に照射された場合等に、警報窓の点灯状態が正確に検出できずに、誤った情報を記憶してしまうおそれがある。
【０００８】
本発明は、このような問題点を解決し、警告の発生状況を正確に把握することが可能な警報記録システムを提供することを目的とする。
【課題を解決するための手段】
【０００９】
本発明は、前記目的を達成するため、次に記載する構成を備えている。
【００１０】
（１）  所定の設備に異常が発生した場合に点灯することによって報知を行う警報窓を複数備えた制御盤と、当該制御盤との間で送受信を行う計算機と、当該計算機からの印字情報に基づいて印字を行うプリンタとを備えた警報記録システムにおいて、前記制御盤は、設備に異常が発生したか否かを判定する異常判定手段と、当該異常判定手段が、異常が発生したと判定した場合に、異常が発生した設備に対応する前記警報窓を点灯させる警報窓点灯制御手段と、運転員によって操作される警報確認ボタンと、当該警報確認ボタンが操作された場合に、前記計算機に警報記録指令を送信する警報記録指令出力手段と、前記警報記録指令を受信した前記計算機から送信される警報取込指令を受信した場合に、前記計算機に、点灯している前記警報窓によって報知される警報情報を送信する警報情報出力手段とを備え、前記計算機は、前記警報情報を受信した場合に、前記警報情報の受信時間を取得し、前記警報情報及び前記警報情報の受信時間に基づいて印字情報を作成し、当該印字情報を前記プリンタに送信することを特徴とする警報記録システム。
【００１１】
（１）によれば、運転員が、制御盤に備えた複数の警報窓のいずれかが点灯したことを確認した場合に、警報確認ボタンを操作すると、制御盤は計算機に警報記録指令を送信し、計算機は警報記録指令を受信すると、制御盤１０に警報取込指令を送信し、制御盤は警報取込指令を受信すると、計算機に警報情報を送信する。計算機は警報情報を受信した時間を取得する。そして、計算機が、警報情報及び受信時間に基づいて印字情報を作成して、プリンタに出力することにより、プリンタから、例えば警報名称と受信時間が印字された記録紙が出力される。これにより、運転員が確認した警報窓の状態がそのままプリンタから印字出力されるため、警告の発生状況を正確に把握することが可能になる。
【００１２】
（２）  （１）において、前記計算機に接続する記憶手段と、前記計算機から送信される画像表示情報に基づいて画像表示を行う画像表示手段とを備え、前記計算機は、前記警報情報を受信した場合に、前記警報情報及び前記警報情報の受信時間を前記記憶手段に累積記憶し、当該記憶手段の記憶内容に基づいて画像表示情報を作成して前記画像表示手段に送信することを特徴とする警報記録システム。
【００１３】
（２）によれば、記憶手段に、警報情報及び受信時間の履歴を取って、画像表示手段に表示させることが可能になる。
【００１４】
（３）  所定の設備に異常が発生した場合に点灯することによって報知を行う警報窓を複数備えた制御盤と、当該制御盤からの印字情報に基づいて印字を行うプリンタとを備えた警報記録システムにおいて、前記制御盤は、設備に異常が発生したか否かを判定する異常判定手段と、当該異常判定手段が、異常が発生したと判定した場合に、異常が発生した設備に対応する前記警報窓を点灯させる警報窓点灯制御手段と、運転員によって操作される警報確認ボタンと、当該警報確認ボタンが操作された場合に、点灯している前記警報窓によって報知される警報情報に基づいて印字情報を作成して前記プリンタに送信する印字情報出力手段とを備え、前記プリンタは、前記印字情報を受信した場合に、前記印字情報の受信時間を取得し、前記印字情報及び前記受信時間を印字することを特徴とする警報記録システム。
【００１５】
（３）によれば、運転員が、制御盤に備えた複数の警報窓のいずれかが点灯したことを確認した場合に、警報確認ボタンを操作すると、制御盤は、警報情報に基づいて印字情報を作成して、プリンタに送信する。そして、プリンタは、受信時間を取得し、例えば警報名称と受信時間とを記録紙に印字する。これにより、運転員が確認した警報窓の状態がそのままプリンタから印字出力されるため、警告の発生状況を正確に把握することが可能になる。
【００１６】
（４）  （１）〜（３）において、前記警報窓点灯制御手段は、前記警報確認ボタンが操作された場合に、前記警報窓の点灯態様を変更することを特徴とする警報記録システム。
【００１７】
（４）によれば、例えば、警報窓が点滅によって警告表示している状態で、警報確認ボタンが操作された場合には、警報窓が点灯したままの状態に切り替わる。これにより、点灯したままの状態にある警報窓に関する警報情報が、プリンタから印字出力される。このため、運転員は、瞬間的に点滅して消灯状態に戻った警報窓のみを目視で確認して、手書きで記録するという簡単な作業を行うことによって、警告の発生状況を正確に把握することが可能になる。
【発明の効果】
【００１８】
本発明によれば、運転員が確認した警報窓の状態がそのままプリンタから印字出力されるため、警告の発生状況を正確に把握することが可能になる。
【図面の簡単な説明】
【００１９】
【図１】本発明の第１実施形態における警報システムの概要を示すブロック図である。
【図２】警報表示部の警報窓の点灯例を示す説明図である。
【図３】本発明の第１実施形態における警報システムにおいて、警報窓点灯状態を記録紙に記録する際の処理の流れを示す説明図である。
【図４】本発明の第１実施形態における警報システムの警報窓点灯状態を記録した記録紙の一例を示す説明図である。
【図５】本発明の第２実施形態における警報システムの概要を示すブロック図である。
【図６】本発明の第２実施形態における警報システムにおいて、警報窓点灯状態を記録紙に記録する際の処理の流れを示す説明図である。
【図７】本発明の第３実施形態における警報システムにおいて、警報窓点灯状態を記録紙に記録する際の処理の流れを示す説明図である。
【発明を実施するための形態】
【００２０】
以下、本発明の実施形態について、図面を参照しながら詳細に説明する。
［第１実施形態］
図１は、本発明の第１実施形態における警報システムの概要を示すブロック図である。
［システム構成］
警報システム１は、中央管理室内に配備されており、複数の制御盤１０、電子計算機２０、プリンタ３０及びディスプレイ４０を備えている。
【００２１】
制御盤１０は、ＣＰＵ１００、警報表示部１０２、警報ブザー１０４、警報確認ボタン１０６、警報リセットボタン１０８、入出力部１１０及び記憶部１１２を備えている。また、制御盤１０には、複数の検知器２００が接続されている。複数の検知器２００としては、例えば、発電所設備の所定場所に設置された、放射線計、温度計、風量計、圧力計、水位計及び水温計等が該当する。また、複数の制御盤１０は、それぞれ系統別に分類されており、制御盤１０の系統に応じた検知器２００が接続されている。
【００２２】
電子計算機２０は、演算装置（図示せず）や記憶装置２２を備えており、電子計算機２０と制御盤１０とは送受信可能に接続されている。また、電子計算機２０は、制御盤１０から送信される情報に基づいて、印字情報を作成してプリンタ３０に印字出力させたり、表示情報を作成してディスプレイ４０に表示させる処理を行う。
【００２３】
［制御盤の構成］
次に、制御盤１０について説明する。
ＣＰＵ１００は、制御盤１０全体の制御を行うものである。
警報表示部１０２は、図２に示すように複数の警報窓１２を備えており、複数の警報窓１２（図２参照）は、点灯、消灯、点滅等の発光が可能な発光体（図示せず）を備えている。また、複数の警報窓１２にはそれぞれ固有番号と警報名称が印されている。図２に示す例においては、図中、「１Ａ」、「１Ｂ」、「１Ｃ」、……、「６Ｆ」、「６Ｇ」という番号が固有番号であり、「□○△温度高」、「□○△温度異常高」、「□●▲温度高」、……、「●▽▲温度異常高」、「●▼温度低」という文字情報が警報名称である。また、警報窓１２と検知器２００とは１対１に対応しており、検知器２００の検知結果に基づいて、ＣＰＵ１００が、検知器２００に対応する警報窓１２の発光制御を行う。具体的には、ＣＰＵ１００が、検知器２００の検知結果に基づいて、設備に異常が発生したと判定した場合には、警報窓１２を発光させて、異常発生の報知を行う。
【００２４】
警報ブザー１０４は、警報表示部１０２におけるいずれかの警報窓１２が発光した場合、及び発光した警報窓１２が消灯する場合に鳴動するものである。
【００２５】
警報確認ボタン１０６は、警報表示部１０２におけるいずれかの警報窓１２が発光した際に押下することにより、警報窓１２の発光状態を保持するものである。また、詳細については後述するが、警報確認ボタン１０６が押下されることによって、プリンタ３０から複数の警報窓１２の点灯状況を記録した記録紙が印字出力される。
【００２６】
警報リセットボタン１０８は、警報表示部１０２を消灯させ、警報ブザー１０４の鳴動を停止させるためのボタンである。
【００２７】
入出力部１１０は、外部機器に接続して、外部機器との間で送受信を行うものである。また、記憶部１１２は、各検知器２００の状態を記憶する検知結果記憶領域を備えている。ＣＰＵ１００は、検知器２００の検知結果に基づいて、異常であると判断した場合には、記憶部１１２の検知結果記憶領域における、異常であると判断された設備の検知器２００に対応する記憶領域に、異常である旨を示すデータを記憶する。また、ＣＰＵ１００は、検知器２００の検知結果に基づいて、異常であると判断した後に、正常に戻ったと判断した場合には、検知結果記憶領域における、検知器２００に対応する記憶領域に記憶されている異常である旨を示すデータをクリアする。このように、制御盤１０のＣＰＵ１００は、異常判定手段として機能する。ここで、検知器２００と警報窓１２とは１対１に対応していることから、記憶部１１２の検知結果記憶領域における検知器２００に対応する記憶領域と警報窓１２とは１対１に対応している。したがって、記憶部１１２の検知結果記憶領域において、異常である旨を示すデータが記憶されている記憶領域に対応する警報窓１２は点滅又は点灯していることになる。このため、ＣＰＵ１００は、記憶部１１２の検知結果記憶領域を参照することによって、複数の警報窓１２の点灯状況を把握することが可能である。
【００２８】
次に、制御盤１０における警報表示について説明する。
制御盤１０のＣＰＵ１００は、常時、検知器２００の状態を監視する。そして、ＣＰＵ１００は、検知器２００の検知結果に基づいて、異常が発生していると判定した場合には、その旨を記憶部１１２の検知結果記憶領域に記憶する。さらに、ＣＰＵ１００は、検知器２００に対応する警報窓１２を点滅させるとともに、警報ブザー１０４を駆動して警報発生用ブザー音を鳴動させる制御を行う。このように、制御盤１０のＣＰＵ１００は、警報窓点灯制御手段、及び警報窓点灯制御手段として機能する。
【００２９】
運転員は、点滅表示している警報窓１２の警報名称を目視により確認した後、制御盤１０に設置されている警報確認ボタン１０６を押下する。ＣＰＵ１００は、警報確認ボタン１０６が押下されたことを検出した場合には、警報窓１２を点滅から点灯したままの状態に切り替えるとともに、ブザー音を停止させる制御を行う。これにより、運転員が警報確認ボタン１０６を押下した時点で異常が解消されてない検知器２００に対応する警報窓１２は、点灯状態となる。
【００３０】
また、ＣＰＵ１００は、警報確認ボタン１０６が押下されたことを検出した場合に、入出力部１１０から電子計算機２０に警報記録指令を送信する処理を行う。警報記録指令を受信した電子計算機２０は、警報確認ボタン１０６が押下された時点の警報表示部１０２の点灯状況をプリンタ３０に印字させる印字記録処理を実行する。この印字記録処理については後述する。このように、制御盤１０のＣＰＵ１００は警報記録指令出力手段として機能する。
【００３１】
また、ＣＰＵ１００は、検知器２００の検知結果が異常状態から正常状態に切り替わった場合には、警報窓１２の表示をゆっくりとした点滅に切り替えるとともに、警報ブザー１０４から警報消灯用ブザー音を鳴動させる。また、ＣＰＵ１００は、警報消灯用ブザー音を鳴動させている状態で、警報リセットボタン１０８が押下されたことを検出した場合には、ゆっくり点灯している警報窓１２を消灯させ、かつブザー音を停止させる。
【００３２】
［印字記録処理］
次に、印字記録処理について説明する。
例えば、図２に示すように警報窓１２が点滅表示している状態で、図３に示すように、運転員によって警報確認ボタン１０６が押下されたとする（図３中の（１））。この場合、制御盤１０から電子計算機２０に、警報記録指令、及び制御盤１０を特定するための固有情報を送信する（図３中の（２））。電子計算機２０は、警報記録指令を受信した場合に、印字記録処理を実行する。
【００３３】
まず、電子計算機２０は、警報記録指令を送信した制御盤１０を固有情報から特定し、特定した制御盤１０に警報取込要求指令を送信する（図３中の（３））。
【００３４】
制御盤１０のＣＰＵ１００（図１参照）は、電子計算機２０から警報取込要求指令を受信すると、現在点灯している警報窓１２を特定する警報発報情報を作成して、電子計算機２０に送信する処理を行う（図３中の（４））。このように、制御盤１０のＣＰＵ１００は、警報情報出力手段として機能する。なお、警報発報情報は、点灯している警報窓１２によって報知される警報情報に相当する。
【００３５】
電子計算機２０は、制御盤１０から警報発報情報を受信すると、警報発報情報が特定している警報窓１２に対応する警報名称を、警報発報情報を受信した時間（受信日及び時刻）とともに、電子計算機２０に備えた記憶装置２２に累積記憶する（図３中の（５））。そして、電子計算機２０は、記憶装置２２に記憶された警報名称や受信時間、及び警報発報情報を送信した制御盤１０を特定する情報に基づいて、印字情報を作成してプリンタ３０に送信する（図３中の（６））。印字情報を受信したプリンタ３０は、印字情報を記録紙に印字出力する。また、運転員の指示入力に基づいて、電子計算機２０は、記憶装置２２に記憶された警報名称や受信時間に基づいて表示情報を作成して、ディスプレイ４０に表示出力する（図３中の（７））。
【００３６】
図４は、プリンタから印字出力される記録紙の内容を示す説明図である。図４に示すように、図２に示す警報窓１２と配置が同一になるように各種の警報名称及びそのフォーマットが記録紙に印字される。さらに、図２に示す警報窓１２において、点灯している警報窓１２に対応する警報名称と同一の警報名称の表示欄の背景色が、図４に示すように、点灯していない警報窓１２の背景色と異なる色に印字される。このため、点灯している警報窓１２の表示欄は目立つようになる。また、表題として、警報発報情報を送信した制御盤１０を特定する情報が記入される。
【００３７】
なお、記憶装置２２には、過去に発生した警報名称や時間が累積記録されているため、必要に応じて、過去に発生した警報名称を印字出力あるいは表示出力することも可能である。
【００３８】
このように構成された第１実施形態によれば、運転員が、制御盤１０に備えた複数の警報窓１２のいずれかが点灯したことを確認した場合に、警報確認ボタン１０６を操作すると、制御盤１０は電子計算機２０に警報記録指令を送信し、電子計算機２０は警報記録指令を受信すると、制御盤１０に警報取込指令を送信する。制御盤１０は警報取込指令を受信すると、警報発報情報を電子計算機２０に送信する。電子計算機２０は、制御盤１０から警報発報情報を受信すると、警報発報情報が特定している警報窓１２に対応する警報名称、及び警報発報情報の受信時間に基づいて印字情報を作成して、プリンタ３０に送信することにより、プリンタ３０から、例えば警報名称と受信時間が印字された記録紙が出力される。これにより、運転員が確認した警報窓１２の状態がそのままプリンタ３０から印字出力されるため、警告の発生状況を正確に把握することが可能になる。
【００３９】
また、記憶装置２２には、過去に発生した警報名称や時間が累積記録されているため、警報情報及び受信時間の履歴を閲覧することが可能になる。これにより、警告発生の傾向を分析することが可能になる。
【００４０】
［第２実施形態］
図５は、本発明の第２実施形態における警報システムの概要を示すブロック図である。なお、図１〜図４に示す第１実施形態における部材と同一の部材、あるいは同一機能の部材については、同一の符号を付すことで、詳細な説明は省略した。
【００４１】
第２実施形態の警報システム１は、図５に示すように、中央管理室内に配備されており、複数の制御盤１０及びプリンタ３０を備えている。すなわち、図１〜図４に示す第１実施形態においては、制御盤１０から警報情報が電子計算機２０に送信され、電子計算機２０が警報情報に基づいて印字情報を作成してプリンタ３０に印字出力させている。それに対して、第２実施形態においては、制御盤１０が印字情報を作成してプリンタ３０に印字出力させている。
【００４２】
例えば、図２に示すように警報窓１２が点滅表示している状態で、図６に示すように、運転員によって警報確認ボタン１０６が押下されたとする（図６中の（１））。この場合、制御盤１０のＣＰＵ１００は、点滅表示している警報窓１２を点灯状態に切り替える。さらに、制御盤１０のＣＰＵ１００は、警報窓１２の点灯状況を読み取り（図６中の（２））、警報が発生している警報窓１２に対応する警報名称を求め、警報確認ボタン１０６が押下された時間とともに、制御盤１０に備えた記憶部１１２に記憶する。そして、制御盤１０のＣＰＵ１００は、記憶装置２２に記憶された警報名称や受信時間、及び警報発報情報を送信した制御盤１０を特定する情報に基づいて、印字情報を作成してプリンタ３０に送信する（図６中の（３））。印字情報を受信したプリンタ３０は、印字情報を記録紙に印字出力する（図６中の（４））。このように、制御盤１０のＣＰＵ１００は、印字情報出力手段として機能する。
【００４３】
このように構成された第２実施形態によれば、運転員が、制御盤１０に備えた複数の警報窓１２のいずれかが点灯したことを確認した後に、警報確認ボタン１０６を押下すると、制御盤１０は、警報確認ボタン１０６が押下された時間（受信日及び時刻）及び警報窓１２の点灯状況の情報を取得し、これらの情報に基づいて印字情報を作成して、プリンタ３０に送信する。そして、プリンタ３０からは、図４に示すように、警報名称と受信時間が印字された記録紙が出力される。これにより、運転員が確認した警報窓１２の状態がそのままプリンタから印字出力されるため、警告の発生状況を正確に把握することが可能になる。
【００４４】
また第２実施形態によれば、警報窓１２が点滅によって警告表示している状態で、警報確認ボタン１０６が押下された場合には、点滅中の警報窓１２が点灯したままの状態に切り替わる。これにより、点灯したままの状態の警報窓１２に対応する警報名称が、プリンタ３０から印字出力される。このため、運転員は、瞬間的に点滅して消灯状態に戻った警報窓１２のみを目視で確認して、手書きで記録するという簡単な作業を行い、点灯している警報窓１２の警報名称については、警報確認ボタン１０６を押下してプリンタ３０から印字出力させる。これにより、警告の発生状況を正確に把握することが可能になる。
【００４５】
なお、上述した第２実施形態によれば、制御盤１０から送信される印字情報の中に、警報確認ボタン１０６の押下時間の情報が含まれており、プリンタ３０は、印字情報から押下時間を取得しているが、それに限るものではない。例えば、プリンタ３０に計時機能を設け、制御盤１０からは警報窓１２に対応する警報名称の情報からなる印字情報が送信され、プリンタ３０が印字情報を受信した時点で計時機能から押下時間を取得してもよい。これにより、制御盤１０のＣＰＵ１００の処理負担が軽減される。
【００４６】
［第３実施形態］
図７は、本発明の第３実施形態における警報システムの概要を示すブロック図である。なお、図６に示す第２実施形態における部材と同一の部材、あるいは同一機能の部材については、同一の符号を付すことで、詳細な説明は省略した。
【００４７】
第３実施形態の警報システム１は、図７に示すように、第２実施形態の警報システム１の制御盤１０に、第２警報確認ボタン１２０を、警報確認ボタン１０６に対して独立して配備したものである。
【００４８】
第２実施形態においては、警報確認ボタン１０６を押下することによって、点滅状態にある警報窓１２を点灯状態にする制御と、プリンタ３０に印字出力させる制御を実行させている。それに対して、第３実施形態においては、警報確認ボタン１０６を押下することによって、点滅状態にある警報窓１２を点灯状態にする制御を実行させ、第２警報確認ボタン１２０を押下することによって、任意の時点でプリンタ３０に印字出力させる制御を実行させるものである。
【００４９】
例えば、図２に示すように警報窓１２が点滅表示している状態で、図７に示すように、運転員によって第２警報確認ボタン１２０が押下されたとする（図７中の（１））。この場合、制御盤１０のＣＰＵ１００は、警報窓１２の点灯状況を読み取り（図７中の（２））、警報が発生している警報窓１２に対応する警報名称を求め、第２警報確認ボタン１２０が押下された時間（受信日及び時刻）とともに、制御盤１０に備えた記憶部１１２に記憶する。そして、制御盤１０のＣＰＵ１００は、記憶部１１２に記憶された警報名称や受信時間、及び警報発報情報を送信した制御盤１０を特定する情報に基づいて、印字情報を作成してプリンタ３０に送信する（図７中（の３））。印字情報を受信したプリンタ３０は、印字情報を記録紙に印字出力する（図７中の（４））。
【００５０】
このように構成された第３実施形態によれば、例えば、運転員が、警報ブザー音が鳴動した時点で、最初に第２警報確認ボタン１２０を押下することによって、早めに警報窓１２の点灯状況を記録紙に印字出力させておく。さらに、運転員は、警報窓１２が継続して点滅している状況であること確認してから、警報確認ボタン１０６を押下する。そして、運転員は、警報窓１２の点灯状況を印字出力した記録紙と、点灯状態にある警報窓１２とを比較することにより、例えば、瞬時に異常が発生した後、瞬時に異常が解消された事象を確実に記録として残すことが可能になる。
【００５１】
以上、本発明の実施形態について説明したが、本発明は、上述した実施形態に限るものではない。例えば、上述した実施形態においては、図４に示すような記録紙が出力されるが、警報名称及び受信時間を記載する印字フォーマットは、図４に示すものに限るものではない。例えば、第１実施形態における電子計算機２０の記憶装置２２に、警報名称と重要度を関連付けてなる重み付けテーブルを記憶しておく。そして、電子計算機２０は、警報発報情報を受信したときに、重み付けテーブルを参照して警報名称に対応する重要度を求め、重要度が高い順から記憶する印字フォーマットを用いて印字情報を作成して、プリンタ３０に送信してもよい。同様に、第２、第３実施形態における制御盤１０の記憶部１１２に、警報名称と重要度を関連付けてなる重み付けテーブルを記憶しておく。そして、制御盤１０のＣＰＵ１０は、警報窓１２の点灯状況の読取りを行った際に、重み付けテーブルを参照して警報名称に対応する重要度を求め、重要度が高い順から記憶する印字フォーマットを用いて印字情報を作成して、プリンタ３０に送信してもよい。
【００５２】
また、警報名称及び受信時間を記載する印字フォーマットをプリンタ３０に持たせ、プリンタ３０のプリンタドライバによって印字フォーマットを設定してもよい。これにより、第１実施形態における電子計算機２０あるいは第２、第３実施形態における制御盤１０からは、警報名称と受信時間の情報をプリンタ３０に送信し、プリンタ３０側では、プリンタ３０で予め用意した印字フォーマットに、警報名称と受信時間を挿入していくことによって印刷データの作成が行われる。そして、プリンタ３０は、この印刷データに基づいて記録紙への印字出力を実行する。これにより、第１実施形態の電子計算機２０あるいは第２、第３実施形態の制御盤１０における印字情報の作成にかかる負担を軽減することが可能になる。
【符号の説明】
【００５３】
１  警報システム
１０  制御盤
１２  警報窓
２０  電子計算機
２２  記憶装置
３０  プリンタ
４０  ディスプレイ
１００  ＣＰＵ
１０２  警報表示部
１０４  警報ブザー
１０６  警報確認ボタン
１０８  警報リセットボタン
１１０  入出力部
１１２  記憶部
１２０  第２警報確認ボタン
２００  検知器
【図１】
2012089090.tif 000003
【図２】
2012089090.tif 000004
【図３】
2012089090.tif 000005
【図４】
2012089090.tif 000006
【図５】
2012089090.tif 000007
【図６】
2012089090.tif 000008
【図７】
2012089090.tif 000009